(57)【要約】【課題】一般的に用いられているワッシャは、アイボルトのネジピッチに対して厚みが大きく、細かい角度調整が困難であり、角度調整はワッシャを数枚用いて行っていたが、ワッシャの枚数を変更する度にアイボルトを外す必要があり、手間と時間を要していたので、角度調整を容易に、短時間で行うことができるアイボルト角度調整用ワッシャを提供する。【解決手段】アイボルトのネジ部が挿入される貫通孔を備え、前記アイボルトのネジ部にあるネジピッチの１／ｎ（ｎは、正の整数。）の厚みを有するアイボルト角度調整用ワッシャ。ｎが偶数であると好ましい。また、貫通孔に連通する切欠きを有すると好ましい。【選択図】図３
2020133788.tif 000002
【特許請求の範囲】
【請求項１】
アイボルトのネジ部が挿入される貫通孔を備え、前記アイボルトのネジ部にあるネジピッチの１／ｎ（ｎは、正の整数。）の厚みを有するアイボルト角度調整用ワッシャ。
【請求項２】
請求項１において、ｎが、偶数であるアイボルト角度調整用ワッシャ。
【請求項３】
請求項１又は請求項２において、貫通孔に連通する切欠きを有するアイボルト角度調整用ワッシャ。
【発明の詳細な説明】
【技術分野】
【０００１】
本発明は着脱の作業性を向上するのに好適なアイボルト角度調整用ワッシャに関する。
【背景技術】
【０００２】
電源盤を含む重量物の運搬方法として、重量物にＪＩＳ  Ｂ  １１６８（アイボルト  Ｅｙｅｂｏｌｔｓ）で規格化されたアイボルトを取付け、クレーンなどで吊り上げて移動する方法が知られている。重量物の四隅にアイボルトを固定し吊り上げる場合、対角側のアイボルト同士のリングが同一平面状を向いている必要がある。しかし、リングの向きはボルトとナットのネジ山によって決まり、アイボルト毎に異なるため、アイボルトの取付け角度の調整が必要になる。
角度調整は、アイボルトと固定部の間にＪＩＳ  Ｂ  １２５６（平座金  Ｐｌａｉｎ  ｗａｓｈｅｒｓ）で規格化されたワッシャを挿入し、ワッシャの枚数を変更することにより調整される。
【先行技術文献】
【特許文献】
【０００３】
【特許文献１】特開２００８−１６３５６３号公報
【発明の概要】
【発明が解決しようとする課題】
【０００４】
しかしながら、一般的に用いられているワッシャは、アイボルトのネジピッチに対して厚みが大きく、細かい角度調整が困難であった。角度調整はワッシャを数枚用いて行っていたが、ワッシャの枚数を変更する度にアイボルトを外す必要があり、手間と時間を要していた。
本発明は、角度調整を容易に行うことができるアイボルト角度調整用ワッシャを提供することを目的とする。
【課題を解決するための手段】
【０００５】
本発明は、以下のものに関する。
（１）アイボルトのネジ部が挿入される貫通孔を備え、前記アイボルトのネジ部にあるネジピッチの１／ｎ（ｎは、正の整数。）の厚みを有するアイボルト角度調整用ワッシャ。
（２）項（１）において、ｎが、偶数であるアイボルト角度調整用ワッシャ。
（３）項（１）又は（２）において、貫通孔に連通する切欠きを有するアイボルト角度調整用ワッシャ。
【発明の効果】
【０００６】
本発明によれば、ワッシャの厚みがアイボルトのネジピッチの１／ｎになっているので、ワッシャ１枚を挿入することで、アイボルトを（３６０／ｎ）度回転させることができ、視覚的に容易にワッシャの追加枚数を決定することができる。
また、ｎを偶数とすることにより、例えば、２であれば１８０度、４であれば９０度、６であれば６０度、８であれば４５度といったように、より視覚的に理解しやすい角度になり、必要とするワッシャが容易に分かり角度調整が容易となる。
更に、ワッシャの貫通孔に連通する切欠きを設けると、ワッシャを追加する際に、いちいちアイボルトを抜く必要がなく、僅かに緩めるだけでワッシャを追加することができ、短時間で角度調整を行うことができる。
【図面の簡単な説明】
【０００７】
【図１】本発明のアイボルト角度調整用ワッシャの斜視模式図である。
【図２】本発明で用いるアイボルトの正面模式図である。
【図３】重量物を移動する際に用いるアイボルトと、アイボルトに本発明のアイボルト角度調整用ワッシャを挿入・脱着する様子を説明する斜視模式図である。
【図４】実施例で用いたアイボルト角度調整用ワッシャの平面模式図である。
【発明を実施するための形態】
【０００８】
＜アイボルト＞
本発明にて述べるアイボルトとは、図２に示すように、ネジ部２ｂとワイヤーを通す孔２ａを持ち、吊り上げる物の重量に耐える十分な強度を有するものである。材質は好適には金属が好ましく、鉄、鋼、チタンなどが含まれる。好適にはＪＩＳ Ｂ １１６８により定められるものが好まれる。
【０００９】
＜貫通孔＞
本発明にて述べる貫通孔とは、図１に示すようにワッシャの中央部に開けられる孔１ａで、形状は円形とは限らず、三角形、四角形、楕円その他任意の形状のものを含む。また、貫通孔はアイボルトのネジ部が通過できるサイズおよび形状とする。
【００１０】
＜ワッシャの厚み＞
重量物に設けたネジ部にアイボルトのボルトをねじ込んでいくと、アイボルトのリング面を３６０度の任意の角度で止めることができるが、アイボルトの座面と相手側の面が密着していない状態である。
４５度吊りの使用荷重は、アイボルトの座面が相手と密着し、２個のアイボルトのリングの向きが同一平面内にある場合に適用される。アイボルトの座面を運搬される重量物と密着させ、リングの向きを揃えるためにワッシャが用いられる（図３参照）。
本発明のワッシャの厚みは、平面に対して垂直方向の長さのことを言う。本ワッシャの厚みは前記アイボルトのネジ部にあるネジピッチの１／ｎ（ｎは、正の整数。）である。ネジピッチとはネジ部のねじ山とねじ山の間隔であり、アイボルトは３６０度回転する毎にネジピッチと同じ距離だけボルトの軸方向に移動する。アイボルトと固定部の間に本ワッシャを挿入することで、アイボルトはワッシャがない場合と比べてワッシャの厚みだけ固定部から移動し、移動量に従いアイボルトの回転角度が変化する。ワッシャがネジピッチの１／ｎ（ｎは、正の整数。）の厚みを有することで、アイボルトの軸方向移動量はネジピッチの１／ｎになり、アイボルトは（３６０／ｎ）度だけ回転する。ワッシャを２枚挿入することでアイボルトの回転角度は（３６０／ｎ）×２度、３枚だと（３６０／ｎ）×３度といったように、ワッシャの挿入枚数を変更することにより、アイボルトの回転角度を任意に変更することが可能となる。
【００１１】
＜切欠き＞
本発明にて述べる切欠きとは、ワッシャの外縁１ｃから中央部の貫通孔に連通するものである。また、切欠きはワッシャの外縁から貫通孔までアイボルトのネジ部を通しうるサイズ又は形状を有する。切欠きを有することで、ワッシャを追加する際に、いちいちアイボルトを抜く必要がなく、僅かに緩めるだけでワッシャを追加することが可能になる。
【実施例】
【００１２】
本発明の一実施例としてＭ１６アイボルトの角度調整用ワッシャについて説明する。
本発明に係るワッシャの形状を図４に示す。ワッシャは厚さ０．５ｍｍの真鍮によって構成され、外径３１ｍｍおよび内径１７ｍｍを有する円形をしている。また、周囲の１箇所には切欠きを有する。また、切欠きと外径とのなす角部分には、ワッシャを円滑に装着することができるように小さな角取りがなされている。
Ｍ１６アイボルトのピッチは、２．０ｍｍであり、その１／４である０．５ｍｍの厚みを有するため、ワッシャ１枚につき９０度アイボルトの角度を変更することが可能となる。
Ｍ１６アイボルトのピッチの１／２の１．０ｍｍの厚みのワッシャの１枚では、１８０度、ピッチの１／６の０．３３３ｍｍでは６０度、ピッチの１／８の０．１２５ｍｍでは、４５度のアイボルトの角度を変更することができる。
０．３３３ｍｍのワッシャ１枚と０．１２５ｍｍのワッシャ１枚を重ねて用いると１０５度（６０度＋４５度）のアイボルトの角度を変更することができる。
また、他の実施例としてワッシャの外縁１ｃの形状は円形とは限らず、三角形、四角形、楕円その他任意の形状のものを含む。また、材質は真鍮に限らず、鉄、鋼、銅、アルミなどの金属、ゴム、ポリカーボネート、ＰＴＦＥなどその他任意の材質とすることができる。
【符号の説明】
【００１３】
１：アイボルト角度調整用ワッシャ、１ａ：貫通孔、１ｂ：切欠き、１ｃ：外縁、２：アイボルト、２ａ：孔、２ｂ：ねじ部、３：重量物
【図１】
2020133788.tif 000003
【図２】
2020133788.tif 000004
【図３】
2020133788.tif 000005
【図４】
2020133788.tif 000006